(57)【要約】【課題】定着下部の搬送用ガイド部材の表面電位を測定し、その測定結果に基づいて搬送用ガイド部材に接地させる抵抗体を搬送中に変更することで、画像品質の劣化を防ぐ画像形成装置を提供する。【解決手段】、搬送される記録材２にトナー像を転写する転写装置１０と、転写されたトナー像を有する記録材２が垂直方向に搬送される搬送路７０と、記録材２上のトナー像を溶融して固着する定着装置６０とを備える画像形成装置１において、前記搬送路７０は、前記転写装置１０と前記定着装置６０の間に少なくとも１つの搬送用ガイド部材７１を有し、かつ、前記搬送用ガイド部材７１が抵抗体７６を介して又は介さないで接地する。【選択図】      図２
2012046257.tif 000002
【特許請求の範囲】
【請求項１】
搬送される記録材にトナー像を転写する転写装置と、
転写されたトナー像を有する記録材が搬送される搬送路と、
記録材上のトナー像を溶融して固着する定着装置とを備える画像形成装置において、
前記搬送路は、前記転写装置と前記定着装置の間に少なくとも１つの搬送用ガイド部材を有し、かつ、搬送用ガイド部材が抵抗体を介して接地するか、抵抗体を介さないで接地するか、変更可能である
ことを特徴とする画像形成装置。  
【請求項２】
前記画像形成装置は、前記搬送用ガイド部材の表面電位を計測する計測手段を有する
ことを特徴とする請求項１に記載の画像形成装置。
【請求項３】
前記測装置は、前記搬送用ガイド部材の少なくとも２つ以上の位置を測定する
ことを特徴とする請求項１又は２に記載の画像形成装置。
【請求項４】
前記計測装置は、前記搬送用ガイド部材の搬送方向に少なくとも２つ以上を配置する
ことを特徴とする請求項１ないし３のいずれかに記載の画像形成装置。
【請求項５】
前記計測装置の計測情報に基づいて、前記搬送用ガイド部材に抵抗体を介さず接地させる
ことを特徴とする請求項１ないし４のいずれかに記載の画像形成装置。
【請求項６】
前記計測装置の計測情報に基づいて、前記搬送用ガイド部材に抵抗体を介して接地させる
ことを特徴とする請求項１ないし５のいずれかに記載の画像形成装置。
【請求項７】
前記画像形成装置は、高抵抗体を介して接地させる場合と介さずに接地させる場合の少なくとも２つ以上の切り替え機構を備える
ことを特徴とする請求項１ないし６のいずれかに記載の画像形成装置。
【請求項８】
前記画像形成装置は、あらかじめ定めた枚数毎の記録材搬送後の前記計測装置の計測情報に基づいて前記搬送用ガイド部材に高抵抗体を設置させるかどうかを決定する
ことを特徴とする請求項１ないし７のいずれかに記載の画像形成装置。
【請求項９】
前記搬送用ガイド部材は、定着装置に記録材を導き入れる定着入り口ガイド板である
ことを特徴とする請求項１ないし８のいずれかに記載の画像形成装置。
【請求項１０】
前記搬送用ガイド部材は、転写装置から記録材を導き出す転写出口ガイド板である
ことを特徴とする請求項１ないし９のいずれかに記載の画像形成装置。
【請求項１１】
前記計測装置は、少なくとも１つが設置している位置を可動にしている
ことを特徴とする請求項１ないし９のいずれかに記載の画像形成装置。
【発明の詳細な説明】
【技術分野】
【０００１】
本発明は、複写機、プリンター、ＦＡＸなどの画像形成装置に係り、詳しくは、転写装置から定着装置の間における搬送路を有する画像形成装置に関するものである。
【背景技術】
【０００２】
多色の画像を形成することのできる画像形成装置において、二次転写部から定着部への搬送経路が垂直方向の場合、記録材の搬送安定性を保つため、定着装置の下部には搬送用ガイド部材が取り付けられている。
ところが、記録材が高含水化したような条件下では、転写ユニットによる転写不良が起こり、画像不良が多く見られる。これは記録材に転写バイアスが印加された時、転写領域での転写電流が低抵抗化した記録材を介して、搬送用ガイド部材に流出してしまうことに起因するものと考えられている。
そこで、転写電流の漏洩を防止するために、搬送用ガイド部材を高抵抗体を介して接地する構成が既に知られている。
【０００３】
特許文献１には、「帯電色材による可視像が担持される像担持体を有する像担持モジュールと、この像担持モジュールの像担持体上に担持された可視像を記録材に転写する転写ユニットと、記録材搬送路が区画せしめられる一対のガイドシュートを有し、像担持モジュールと転写ユニットとの間の転写域へ記録材を案内搬送する記録材案内機構とを備えた画像形成装置において、記録材案内機構のうち、主として記録材が接触する側のガイドシュートを高抵抗体を介して接地した」画像形成装置が開示されている。この開示された画像形成装置では、記録材案内機構からの転写電流漏れに伴う転写不良を回避する目的で、記録材が接触する側の搬送用部材を高抵抗体を介して接地する構成が開示されている。しかし、搬送用ガイド板が帯電し、転写された画像が、トナーのチリによって異常画像が発生するという問題点は解消できていない。
【発明の概要】
【発明が解決しようとする課題】
【０００４】
したがって、今までの高抵抗体を介して接地させた搬送用ガイド部材では、搬送用ガイド部材が帯電して記録材に転写された画像がトナーのチリによって画像品質の低下が見られるという問題があった。
【０００５】
そこで、本発明は上記問題点に鑑みてなされたものであり、その課題は、定着下部の搬送用ガイド部材の表面電位を測定し、その測定結果に基づいて搬送用ガイド部材に接地させる抵抗体を搬送中に変更することで、画像品質の劣化を防ぐ画像形成装置を提供することである。
【課題を解決するための手段】
【０００６】
上記課題を解決する手段である本発明の特徴を以下に挙げる。
本発明の画像形成装置は、搬送される記録材にトナー像を転写する転写装置と、転写されたトナー像を有する記録材が搬送される搬送路と、記録材上のトナー像を溶融して固着する定着装置とを備える画像形成装置において、前記搬送路は、前記転写装置と前記定着装置の間に少なくとも１つの搬送用ガイド部材を有し、かつ、搬送用ガイド部材が抵抗体を介して接地するか、抵抗体を介さないで接地するか、変更可能であることを特徴とする。
また、本発明の画像形成装置は、さらに、前記搬送用ガイド部材の表面電位を計測する計測手段を有することを特徴とする。
また、本発明の画像形成装置は、さらに、前記測装置は、前記搬送用ガイド部材の少なくとも２つ以上の位置を測定することを特徴とする。
また、本発明の画像形成装置は、さらに、前記計測装置は、前記搬送用ガイド部材の搬送方向に少なくとも２つ以上を配置することを特徴とする。
また、本発明の画像形成装置は、さらに、前記計測装置の計測情報に基づいて、前記搬送用ガイド部材に抵抗体を介さず接地させることを特徴とする。
また、本発明の画像形成装置は、さらに、前記計測装置の計測情報に基づいて、前記搬送用ガイド部材に抵抗体を介して接地させることを特徴とする。
また、本発明の画像形成装置は、さらに、高抵抗体を介して接地させる場合と介さずに接地させる場合の少なくとも２つ以上の切り替え機構を備えることを特徴とする。
また、本発明の画像形成装置は、さらに、あらかじめ定めた枚数毎の記録材搬送後の前記計測装置の計測情報に基づいて前記搬送用ガイド部材に高抵抗体を設置させるかどうかを決定することを特徴とする。
また、本発明の画像形成装置は、さらに、前記搬送用ガイド部材は、定着装置に記録材を導き入れる定着入り口ガイド板であることを特徴とする。
また、本発明の画像形成装置は、さらに、前記搬送用ガイド部材は、転写装置から記録材を導き出す転写出口ガイド板であることを特徴とする。
また、本発明の画像形成装置は、さらに、前記計測装置は、少なくとも１つが設置している位置を可動にしていることを特徴とする。
【発明の効果】
【０００７】
上記課題を解決する手段である本発明によって、以下のような特有の効果を奏する。
本発明の画像形成装置によって、搬送用ガイド部材の表面電位に基づいて定着装置への搬送用ガイド部材に接地させる抵抗体を変更することで、転写電流が漏電するもしくはガイド部材が帯電することを防ぐことができるので転写電流漏れに伴う転写不良およびチリなどの画像品質の劣化を防ぐことができる。
【図面の簡単な説明】
【０００８】
【図１】本発明の一実施形態による画像形成装置の構成を示す図である。
【図２】本発明の一実施形態の画像形成装置であって、転写装置と定着装置との間の搬送路の構成を示す概略図である。
【図３】（ａ）は本発明の画像形成装置の搬送路で用いる搬送用ガイド部材の表面電位を測定する位置の一例を示す概略図であり、（ｂ）は画像形成装置で表面電位取り付けの一例を示す概略図である。
【図４】本発明の画像形成装置における具体的な定着入り口ガイド板の表面電位に基づいて搬送用ガイド板に接地させる抵抗体を切り替えについて説明する図である。
【図５】本発明の画像形成装置における画像形成のジョブ中に搬送用ガイド部材の変更を説明するフローチャートを示している。
【図６】表面電位とチリレベルの実験データの一例である。
【発明を実施するための形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
本発明の実施の形態を説明する。本発明は、定着装置に紙が搬送される時に際して、以下の特徴を有する。
要するに、搬送用ガイド部材の表面電位に基づいて定着装置への搬送用ガイド部材に接地させる抵抗体を変更する。本発明の特徴について、以下の図面を用いて詳細に解説する。
【００１１】
以下、本発明による画像形成装置の実施の形態について説明する。
図１は、本発明の一実施形態による画像形成装置の構成を示す図である。
図１において、カラー画像形成装置１は、トナー像を担持する転写部材として中間転写ベルト１１を有する転写装置１０と４つの画像形成ユニットが配置され、各画像形成ユニットには像担持体（以降は感光体ドラム）２０Ｙ、２０Ｃ、２０Ｍ、２０Ｂｋをそれぞれ有し、その回りには専用の帯電装置３０Ｙ、３０Ｃ、３０Ｍ、３０Ｂｋ、現像装置５０Ｙ、５０Ｃ、５０Ｍ、５０Ｂｋ、クリーニング装置４０Ｙ、４０Ｃ、４０Ｍ、４０Ｂｋを有している。
トナーを補給するトナーボトルであり、図中左からイエロー（Ｙ）、シアン（Ｃ）、マゼンタ（Ｍ）、黒（Ｂｋ）のトナーが充填されており、ここから図示しない搬送路によって、所定の補給量だけ各色の現像装置５０Ｙ、５０Ｃ、５０Ｍ、５０Ｂｋに補給される。
【００１２】
動作に関しては、記録材としての記録材２が給紙カセット８１より給紙ローラ８２でフィードされ、記録材２の先端がレジストローラ対８３まで到達すると図示しないセンサによって検知され、この検出信号でタイミングを取りながら、レジストローラ対８３によって記録材２を二次転写ローラ１５と中間転写ベルト１１のニップ部に搬送する。
あらかじめ帯電装置３０Ｙ、３０Ｃ、３０Ｍ、３０Ｂｋによって一様に帯電された感光体ドラム２０Ｙ、２０Ｃ、２０Ｍ、２０Ｂｋは、露光装置７０によりレーザー光７１Ｙ、７１Ｃ、７１Ｍ、７１Ｂｋにて露光走査され、感光体ドラム２０Ｙ、２０Ｃ、２０Ｍ、２０Ｂｋ上に各イエロー（Ｙ）、シアン（Ｃ）、マゼンタ（Ｍ）、黒（Ｂｋ）の静電潜像が作られる。
【００１３】
各静電潜像は、それぞれ各色の現像装置５０Ｙ、５０Ｃ、５０Ｍ、５０Ｂｋにより現像され、感光体ドラム２０Ｙ、２０Ｃ、２０Ｍ、２０Ｂｋ表面にイエロー、シアン、マゼンタ、黒のトナー像が形成される。駆動を持たない中間転写ベルト１１は、回転を始めた像担持体としての感光体ドラム２０Ｙ、２０Ｃ、２０Ｍ、２０Ｂｋとの摩擦力によって駆動を始め、次に一次転写ローラ１２Ｙ、１２Ｃ、１２Ｍ、１２Ｂｋに電圧が印加され、感光体ドラム２０Ｙ、２０Ｃ、２０Ｍ、２０Ｂｋ上のトナーが、中間転写ベルト１１上に順次転写されていく。
この時各色の作像動作は、そのトナー像が中間転写ベルト１１の同じ位置に重ねて転写されるように、上流側から下流側に向けてタイミングをずらして実行される。
中間転写ベルト１１上に形成された画像は、二次転写ローラ１５の位置まで搬送され、記録材２に二次転写される。
【００１４】
各色のトナー像が転写された記録材２は、上方に設けられた定着装置６０に向かってほぼ垂直に搬送されている。
搬送方向は、垂直方向でなくとも良いが、垂直方向の方が画像形成装置の小型化が可能であり、搬送距離を短くすることから画像形成動作の時間を短くすることができる。
記録材２は、定着装置６０に搬送されて加圧ローラ６１と定着ローラ６２との間に形成される定着領域で、熱及び圧力で定着され、排紙ローラ８４で排紙される。
これで、１枚の画像形成ジョブが終了する。
なお、感光体ドラム２０Ｙ、２０Ｃ、２０Ｍ、２０Ｂｋ上の残留トナーは、それぞれのクリーニング装置４０Ｙ、４０Ｃ、４０Ｍ、４０Ｂｋでクリーニングされ、その後、直流に交流成分のバイアスが重畳印加された帯電装置３０Ｙ、３０Ｃ、３０Ｍ、３０Ｂｋによって除電と同時に帯電され、次の作像ジョブに備える。
また、中間転写ベルト１１上の残留トナーは、弾性中間転写ベルトクリーニング装置１４によってクリーニングされ、次の作像ジョブに備える。
【００１５】
図２は、本発明の一実施形態の画像形成装置であって、転写装置と定着装置との間の搬送路の構成を示す概略図である。
近年増加しているカラー電子写真装置の中で、４つの画像形成装置を並べるタンデム型で記録材２が縦に搬送される装置の図を示している。
上述したように、記録材２は給紙カセット８１から送られて、レジストローラ８３を通過すると中間転写ベルト１１と接する。
カラー画像が形成された中間転写ベルト１１は記録材２とともに二次転写ローラ１５とのニップ部に進入し、二次転写ローラ１５に印加されるバイアスによって、中間転写ベルト１１から記録材２へと移る。
さらに、トナー像が転写された記録材２は、搬送路７０を経由して定着装置６０に向かい、定着ローラ６２と加圧ローラ６１によって、加熱および加圧されて画像を記録材２に描写している。
【００１６】
ここで、記録材２は前述した通り二次転写ローラ１５で画像が形成されることになるが、二次転写ローラ１５の転写ニップ部を形成する転写装置１０から定着装置６０の間の搬送路７０を搬送されている記録材２に未定着のトナーがのっていることもあり、画像面側に積極的な保持を行うことはできない。
上方向の記録材２の搬送（以下、「縦搬送」と記す。）は、図２の図示では、ほぼ垂直方向の縦搬送の搬送路７０を備える画像形成装置１を示している。
このような縦搬送の搬送路７０を備える画像形成装置１ではなく、水平方向の横方向への搬送（以下、「横搬送」と記す。）の画像形成装置１であれば、未定着トナー像を上に載せたまま記録材２の下側を搬送ベルト等で重力に従った状態で送ることも可能であるが、縦搬送の場合はその重力あるいは内部の気流などの影響で紙の動きが乱され、斜行し、定着装置６０間の定着ニップ部に搬送されず紙詰まりになることがある。
【００１７】
二次転写ローラ１５の転写ニップ部から定着装置６０の間で記録材２の非画像面の方に搬送を補助する搬送用ガイド部材７１等が設けられており、この搬送用ガイド部材７１の位置を調整することで搬送安定性を保っている。ただし、この搬送用ガイド部材７１の取り付け位置が適切でないと、搬送用ガイド部材７１に記録材２が当たらない、もしくは逆に搬送用ガイド部材７１へ記録材２が強く当たり、記録材２の搬送性が悪くなることが知られている。
この記録材２の搬送性が悪くなると、二次転写ローラ１５の転写ニップ部では、画像形成の乱れとなり、例えば、前述した搬送用ガイド部材７１へのあたりの不均一性は記録材２の搬送負荷となって、記録材２への画像の転写時間の微少な変化になって画像平行度を乱すことになる。
また、画像形成装置１では、二次転写ローラ１５から、記録材２の後端が完全に離れる前に、記録材２の先端が搬送用ガイド部材７１、定着装置６０に接触する。したがって、記録材２の抵抗が低くなると、二次転写ローラ１５に掛かっている電流が漏電して転写不良となり、異常画像が発生することがある。
したがって、本発明の画像形成装置１では、搬送用ガイド部材７１の表面電位をセンサで読み取り、搬送用ガイド部材に接地させる抵抗体を切り替えることで、転写電流の漏洩による転写不良、搬送用ガイド部材７１の帯電による転写チリなどの画像乱れを防ぐようにする。
【００１８】
本発明の画像形成装置１では、この記録材２のバランスの乱れを搬送用ガイド部材７１の表面電位を表面電位計７９で読み取り、搬送用ガイド部材７１を高抵抗体７６を介して又は高抵抗体７６を介さずに接地することで、転写電流の漏洩による転写不良又は記録材２上のトナーのチリなどの画像乱れを防ぐようにする。
図３は、（ａ）は本発明の画像形成装置の搬送路で用いる搬送用ガイド部材の表面電位を測定する位置の一例を示す概略図であり、（ｂ）は画像形成装置で表面電位取り付けの一例を示す概略図である。
本発明の画像形成装置では、二次転写ローラ１５と定着装置６０の間の部分に搬送される記録材２の上方向への搬送に対して、定着入り口ガイド板７１１の表面電位を測定する表面電位計７９を備える。
（ａ）に示すように、表面電位計７９は定着入り口ガイド板７１１の中央部の上下部をそれぞれ測定できるような位置に配置する。測定された検知結果は制御部７７に入力される。
例えば,表面電位計７９を用意し、Ａ、Ｂの位置をそれぞれ測るようにする。この時表面電位計７９は２つ用意し、すべて固定していてもよい。
もしくは、（ｂ）に示すように、表面電位計７９を1つ用意し、可動させて、Ａ、Ｂの位置をそれぞれ測るようにしてもよい。可動させる構造としては例えば、モータとラックアンドピニオンを組み合わせて、搬送方向に移動させる構造とする。
そうすることで同一搬送方向の測定場所Ａ、Ｂは１つの電位計で測定可能である。
【００１９】
図４は、本発明の画像形成装置における具体的な定着入り口ガイド板の表面電位に基づいて搬送用ガイド板に接地させる抵抗体を切り替えについて説明する図である。
定着入り口ガイド板７１１の表面電位は通紙前にＡ、Ｂのそれぞれの表面電位（以下、極性の符号を省略して絶対値とする。）ＶＡ１、ＶＢ１を測定し、一定枚数通紙後、例えば５０枚通紙後に再度それぞれの位置の表面電位（以下、極性の符号を省略して絶対値とする。）ＶＡ２、ＶＢ２を測定する。
なお、画像形成動作前である通紙前では抵抗体は高抵抗体７６を接地させている。これは、定着入り口ガイド板７１１が記録材２との接触によって帯電するかは画像形成動作によって生ずるものであり、したがって、画像形成動作前は定着入り口ガイド板７１１を高抵抗体７６を接地させている。
この高抵抗体７６は低抵抗化した記録材２を介して転写電流の漏洩が許容範囲に収まるものであればよく、通常１８０〜２２０（ＭΩ）程度が選定される。
そして、記録材２の通紙前と一定枚数通紙後の表面電位変化ＶＡ２−ＶＡ１、ＶＢ２−ＶＢ１より定着入り口ガイド板７１１に接地させる高抵抗体７６を介するか、または、高抵抗体７６を介しないかどうか決定する。
なお、本実施形態では、測定された表面電位のデータは制御部７７に入力され、そのデータにより制御部７７は高抵抗体７６を介するか、または、高抵抗体７６を介しないかどうか決定する。その場合、制御部７７は、切換スイッチ７５を制御して、高抵抗体７６を介するか、または、高抵抗体７６を介しないかを制御する。
具体的には、定着入り口ガイド板７１１の表面電位変化ＶＡ２−ＶＡ１、ＶＢ２−ＶＢ１がそれぞれの閾値であるα、βよりも低い場合、定着入り口ガイド板７１１は帯電をしていないため、抵抗体を高抵抗体７６のままでよい。
逆に、定着入り口ガイド板７１１の表面電位の変化ＶＡ２−ＶＡ１、ＶＢ２−ＶＢ１がそれぞれの閾値であるα、βよりも高い場合、搬送ガイド板７１は帯電を起こしているため、抵抗体である高抵抗体７６を介さずに定着入り口ガイド板７１１を接地させる。
その後、表面電位がα、βよりも低い状態になれば、再び高抵抗体７６を介して定着入り口ガイド板７１１を接地させる。
【００２０】
以上のような高抵抗体７６の切り替えはジョブ中、もしくはジョブ終了に行うものとする。
図５は、本発明の画像形成装置における画像形成のジョブ中に搬送用ガイド部材の変更を説明するフローチャートを示している。
最初に、搬送用ガイド部材７１、ここでは、定着入口ガイド部材７１１の２カ所の位置Ａ、Ｂを選び、それぞれの表面電位ＶＡ１、ＶＢ１を測定する（ステップＳ１）。
次ぎに、画像形成のジョブ中に、予め定めている一定枚数の画像を形成するジョブを行う、例えば、５０枚の画像形成して記録材を通過させる（ステップＳ２）。
この画像形成動作が、その予め定めている枚数を超えるか超えないかを判断する（ステップＳ３）。
ただし、その予め定めている枚数を超える前に画像形成動作が終了するのであれば、次の画像形成動作のために、定着入口ガイド部材７１１を高抵抗体７６を介して接地する（ステップＳ９）。ここでは、これによって、画像形成動作を終了する。
まだ、その予め定めている枚数を超えているのに画像形成動作が終了していない場合は、予め定めている枚数を通過させた後に、定着入口ガイド部材７１１の２カ所の位置Ａ、Ｂを選び、それぞれの表面電位ＶＡ２、ＶＢ２を測定する（ステップＳ４）。
この測定した電位を制御部７７へ送信する（ステップＳ５）。
そして、表面電位変化ＶＡ２−ＶＡ１、ＶＢ２−ＶＢ１が、予め定めているそれぞれの閾値であるα、βの値と比較して大きいか小さいかを判断する（ステップＳ６）。
このときに、それぞれの閾値α、βより小さい場合は、記録材２は定着入口ガイド部材７１１の２カ所の位置Ａ、Ｂの電位が高くなっていないことを意味する。この場合、ＶＡ２−ＶＡ１、ＶＢ２−ＶＢ１が、予め定めているそれぞれの閾値であるα、βの値と比較して小さいと判断した場合は、画像形成動作にる記録材２との接触によっても定着入口ガイド部材７１１が帯電していないと判断し、さらに、定着入口ガイド部材７１１を高抵抗体７６を介して接地させて、転写電流の漏洩を防止しながら、次の画像形成動作を実施する（ステップＳ７）ここで、さらに、画像形成動作を実施することができる（ステップＳ２）。
一方、定着入口ガイド部材７１１を高抵抗体７６を介していないで接地されていると判断した場合は、定着入口ガイド部材７１１を高抵抗体７６を介して接地させる（ステップＳ８）。その上で、さらに、画像形成動作を実施することができる（ステップＳ２）。
また、表面電位変化ＶＡ２−ＶＡ１、ＶＢ２−ＶＢ１が、予め定めているそれぞれの閾値であるα、βの値と比較して大きいか小さいかを判断する（ステップＳ６）際に、それぞれの閾値α、βより大きい場合は、定着入口ガイド部材７１１が画像形成動作による記録材２との接触によって帯電していると判断して、高抵抗体７６を介しないで接地させる（ステップＳ１０）。その上で、さらに、画像形成動作を実施することができる（ステップＳ２）。
【００２１】
図６は、表面電位とチリレベルの実験データの一例である。閾値であるα、βは搬送用ガイド部材７１の表面素材、通紙枚数によって変化するので、例えば、図６にあるような、実験データを参考に、閾値αを設定する。
この様に、定着入り口ガイド板７１１に高抵抗体７６を介して接地させることで高温高湿環境などで、記録材２が低抵抗化した場合、転写領域に到達した記録材２を介して転写電流が搬送用ガイド部材７１へと漏出する事態を有効に回避することができ、転写電流漏れに伴う転写不良を有効に防止し、画像品質を良好に保つことができる。
また、搬送用ガイド部材７１が帯電した場合、搬送用ガイド部材７１の帯電に伴う画像ちりを有効に回避することができ、画像品質を良好に保つことができる。
【符号の説明】
【００２２】
１  画像形成装置
２  記録材  
１０  転写装置  
１１  中間転写ベルト  
１２  張架ローラ  
１３  一次転写ローラ  
１４  ベルトクリーニング装置  
１５  二次転写ローラ
２０  感光体ドラム
２１  露光装置
３０  帯電装置
４０  クリーニング装置  
５０  現像装置  
５１  現像スリーブ  
６０  定着装置  
６１  加圧ローラ  
６２  定着ローラ  
７０  搬送路
７１  搬送用ガイド部材
７１１  定着入り口ガイド板
７１２  転写出口ガイド板
７５  切換スイッチ
７６  高抵抗体
７７  制御部
７９  表面電位計７９
８０  給紙装置  
８１  給紙カセット  
８２  給紙ローラ  
８３  レジストローラ  
８４  排紙ローラ  
【先行技術文献】
【特許文献】
【００２３】
【特許文献１】特開２００１−１３９１８５
【図１】
2012046257.tif 000003
【図２】
2012046257.tif 000004
【図３】
2012046257.tif 000005
【図４】
2012046257.tif 000006
【図５】
2012046257.tif 000007
【図６】
2012046257.tif 000008